(57)【要約】【課題】ハンドレール出入口近傍に乗客検出手段を設置した乗客コンベアにあって、その検出波の照射を妨げることなくハンドレールハンドレール清掃機を備えることのできる乗客コンベアの運転装置の提供。【解決手段】無端状に連結され、乗り口と降り口の両乗降口の間を予め設定した方向に移動する複数のステップ２と、これらのステップ２と同一方向に移動するハンドレール３と、このハンドレール３の表面を清掃するハンドレールハンドレール清掃機７と、乗客検出手段８とを備えた乗客コンベアの運転装置において、前記ハンドレールハンドレール清掃機７を収納する収納ケース６が、前記ハンドレール３の出入口近傍に設置されるとともに、前記乗客検出手段７が前記ハンドレールハンドレール清掃機７より前記乗降口側に位置するようにして前記収納ケース６内に収納配置される構成。【選択図】図１
2005154056.tif 000002
【特許請求の範囲】
【請求項１】
無端状に連結され、乗り口と降り口の両乗降口の間を予め設定した方向に移動する複数のステップと、これらのステップと同一方向に移動するハンドレールと、このハンドレールの表面を清掃するハンドレール清掃機と、乗客検出手段とを備えた乗客コンベアの運転装置において、
前記ハンドレール清掃機を収納する収納ケースが、前記ハンドレールの出入口近傍に設置されるとともに、前記乗客検出手段が前記ハンドレール清掃機より前記乗降口側に位置するようにして前記収納ケース内に収納配置されることを特徴とする乗客コンベアの運転装置。
【請求項２】
前記収納ケースには孔部が設けられ、この孔部を介して前記乗客検出手段から検出波が照射されることを特徴とする請求項１記載の乗客コンベアの運転装置。
【請求項３】
前記孔部には透明または半透明のカバーが設けられ、このカバーを透過して前記乗客検出手段から検出波が照射されることを特徴とする請求項２記載の乗客コンベアの運転装置。
【発明の詳細な説明】
【技術分野】
【０００１】
本発明は、エスカレータや電動道路等の乗客コンベアの運転装置に係り、特に、乗客を検出する乗客検出手段を備えた乗客コンベアの運転装置に関する。
【背景技術】
【０００２】
この種の従来技術として、乗客を検出して運転を制御する乗客コンベアの運転装置にあって、常客検出手段の設置をより簡易なものとするため、この乗客検出手段を乗客コンベアが設置される建屋側ではなく、乗客コンベアに備えられる欄干のハンドレール出入口近傍に設置するものが提案されている（例えば、特許文献１参照）。
【０００３】
また、乗客コンベアの欄干のハンドレール出入口近傍にハンドレール清掃機を設置したものも提案されている（例えば、特許文献２参照）。
【特許文献１】特開平１０−１８２０５０号公報（段落番号００１２〜００１６、図２、図３、図４）
【特許文献２】特開平２００２−３１４２号公報（段落番号０００５、０００６、図２）
【発明の開示】
【発明が解決しようとする課題】
【０００４】
しかしながら、前述した欄干のハンドレール出入口近傍に乗客検出手段を設置した乗客コンベアにあっては、前記乗客検出手段の検出波の照射を妨げることとなるためハンドレールハンドレール清掃機を備えることが難しかった。すなわち、乗客検出手段の設置をより簡単にするためにこの乗客検出手段をハンドレール出入口近傍に設置し、かつハンドレールを清掃するためにハンドレール出入口近傍にハンドレール清掃機を設置するという２つの目的を両立させることには困難があった。
【０００５】
本発明は、上述した従来技術における実情からなされたもので、その目的は、ハンドレール出入口近傍に乗客検出手段を設置した乗客コンベアにあって、その検出波の照射を妨げることなくハンドレール清掃機を備えることのできる乗客コンベアの運転装置を提供することにある。
【課題を解決するための手段】
【０００６】
上記目的を達成するために、本発明は、無端状に連結され、乗り口と降り口の両乗降口の間を予め設定した方向に移動する複数のステップと、これらのステップと同一方向に移動するハンドレールと、このハンドレールの表面を清掃するハンドレール清掃機と、乗客検出手段とを備えた乗客コンベアの運転装置において、前記ハンドレール清掃機を収納する収納ケースが、前記ハンドレールの出入口近傍に設置されるとともに、前記乗客検出手段が前記ハンドレール清掃機より前記乗降口側に位置するようにして前記収納ケース内に収納配置されることを特徴としている。
【０００７】
このように構成した本発明は、ハンドレールの出入口近傍に設置された収納ケース内にハンドレール清掃機および乗客検出手段のそれぞれが収納され、ハンドレールの移動に応じてその表面がハンドレール清掃機により清掃されるとともに、ハンドレール清掃機より乗降口側に位置するようにして配置された乗客検出手段から検出波が乗降口に向けて照射されて乗客を検出し、この検出に応じて乗客コンベアの運転を制御するようになっている。
【発明の効果】
【０００８】
本発明は、ハンドレールの出入口近傍に設置された収納ケース内にハンドレール清掃機およびこのハンドレール清掃機より乗降口側に位置するようにして乗客検出手段がそれぞれ収納されていることから、前記ハンドレール清掃機により検出波の照射を妨げられることなく乗客検出手段をハンドレール出入口近傍に設置することができ、したがって、ハンドレール清掃機によるハンドレールの清掃を行なうとともに、乗客検出手段をハンドレール出入口近傍に設けることにより、その設置を建屋側に行なう場合と比較してより簡易なものとするというそれぞれの目的を両立することができる。
【０００９】
また、ハンドレール清掃機および常客検出手段が収納ケースに収められる構成であることから、欄干の取外しを要することなくそれぞれの設置および保守作業を容易に行なうことができるとともに、乗降口の意匠性を損なうこともない。
【発明を実施するための最良の形態】
【００１０】
以下、本発明に係る乗客コンベアの運転装置の実施形態を図に基づいて説明する。
【００１１】
図１は本発明の一実施形態の要部構成を示す側面図である。
【００１２】
乗客コンベアは図１に示すように、無端状に連結され、乗り口１と図示しない降り口の両乗降口の間を予め設定した方向に移動する複数のステップ２と、これらのステップ２と同一方向に移動するハンドレール３と、ステップ２の両側に設けられるスカートガード４と、スカートガード４に支持されハンドレール３を案内する欄干５とを備えている。
【００１３】
そして、本実施形態の乗客コンベアにあっては、収納ケース６がハンドレール３の出入口近傍に設置され、この収納ケース６に、ハンドレール３の表面を清掃するハンドレール清掃機７が収納されるとともに、利用客の有無に応じて運転・停止または速度制御を行なうための乗客検出手段８がハンドレール清掃機７より乗降口側に位置するようにして収納配置されている。
【００１４】
また、前述の乗客検出手段８は、乗客コンベアを設置する建屋側ではなく、床上、すなわちコームプレートと呼ばれ、機械室を塞ぐカバー上に設けられ、乗客を検出するための検出波８ａが乗降口に向けて照射される。さらに、前述の収納ケース６の検出波に対向する領域に孔部６ａが設けられるとともに、この孔部６ａには図示しない透明または半透明のガラスやアクリル等の樹脂製のカバーが設けられ、このカバーを透過して乗客検出手段８から検出波８ａが照射される。
【００１５】
この実施形態では、ハンドレール３の移動に応じてその表面がハンドレール清掃機７により清掃されるとともに、このハンドレール清掃機７より乗降口側に位置するようにして配置された乗客検出手段８から検出波８ａが乗降口に向けて照射されて乗客を検出し、この検出に応じて乗客コンベアの運転・停止または速度制御が行なわれる。
【００１６】
このように構成した本実施形態では、ハンドレール３の出入口近傍に設置された収納ケース６内にハンドレール清掃機７およびこのハンドレール清掃機７より乗降口側に位置するようにして乗客検出手段８がそれぞれ収納されていることから、ハンドレール清掃機７により検出波８ａの照射を妨げられることなく乗客検出手段８をハンドレール出入口近傍に設置することができ、したがって、ハンドレール清掃機７によるハンドレール３の清掃を行なうとともに、乗客検出手段８をハンドレール出入口近傍に設けることにより、その設置を建屋側に行なう場合と比較してより簡易なものとするというそれぞれの目的を両立することができる。また、ハンドレール清掃機７および常客検出手段８が収納ケース６に収められる構成であることから、欄干５の取外しを要することなくそれぞれの設置および保守作業を容易に行なうことができるとともに、乗降口の意匠性を損なうこともない。さらに、収納ケース６の孔部６ａは透明または半透明のカバーにより覆われていることから乗客検出手段８の乗客検出機能を損なうことなく  かつ孔部６ａからの塵埃侵入を防いで機器を保護することができきる。さらにまた、乗客検出手段８は図１に示すようにハンドレール３の折り返し部を乗降口方向に越えることなく設置されていることから、ハンドレール３の折り返し部に接近して側方から乗り込んでくる乗客をも的確に検出することができる。
【図面の簡単な説明】
【００１７】
【図１】本発明の一実施形態の要部構成を示す側面図である。
【符号の説明】
【００１８】
２    ステップ
３    ハンドレール
５    欄干
６    収納ケース
６ａ    孔部
７    ハンドレール清掃機
８    乗客検出手段
８ａ  検出波    
【図１】
2005154056.tif 000003